【手続補正書】
【提出日】平成28年3月18日(2016.3.18)
【手続補正１】
【補正対象書類名】特許請求の範囲
【補正対象項目名】全文
【補正方法】変更
【補正の内容】
【特許請求の範囲】
【請求項１】
放射線を光に変換するシンチレーターと、該シンチレーターからの光を電気信号に変換する光電変換部を有する光電変換パネルとを備えた放射線検出装置において、
前記光電変換パネルは、前記光電変換部の外側に、前記光電変換パネルの少なくとも一辺の少なくとも一部に沿った枠部材を備え、該枠部材は光電変換部側へ向かって下降する傾斜面を有し、
前記シンチレーターは、前記枠部材の前記傾斜面の表面と前記光電変換部の表面とに連続して蒸着法により形成された非柱状結晶構造を有する第１のシンチレーターと、該第１のシンチレーターの上に蒸着法により連続して形成された柱状結晶構造を有する第２のシンチレーターとを備えることを特徴とする放射線検出装置。
【請求項２】
前記第１のシンチレーターと前記第２のシンチレーターは、同一材料からなることを特徴とする請求項１に記載の放射線検出装置。
【請求項３】
前記第１のシンチレーターと前記第２のシンチレーターは、ヨウ化セシウムを主剤とし、ヨウ化タリウムを賦活剤とした蒸着法により形成されることを特徴とする請求項２に記載の放射線検出装置。
【請求項４】
前記枠部材と前記第１のシンチレーターの間に防湿保護膜を有することを特徴とする請求項１乃至３のいずれか一項に記載の放射線検出装置。
【請求項５】
前記防湿保護膜を、前記枠部材の全表面に有することを特徴とする請求項４に記載の放射線検出装置。
【請求項６】
前記第２のシンチレーターの表面にシンチレーター保護層を有し、該シンチレーター保護層と前記防湿保護膜が、前記枠部材の上で接触していることを特徴とする請求項４または５に記載の放射線検出装置。
【請求項７】
前記防湿保護膜と前記シンチレーター保護層は、同一材料からなることを特徴とする請求項６に記載の放射線検出装置。
【請求項８】
前記枠部材を、前記光電変換パネルの引き出し配線が無い部分に有することを特徴とする請求項１乃至７のいずれか一項に記載の放射線検出装置。
【請求項９】
前記枠部材の長手方向に直交する面での断面形状が半円または半楕円であることを特徴とする請求項１乃至８のいずれか一項に記載の放射線検出装置。
【請求項１０】
前記枠部材は、粘度３０Ｐａ・ｓ以上かつチクソ比２以上の樹脂材料を用いて形成されたことを特徴とする請求項１乃至９のいずれか一項に記載の放射線検出装置。
【請求項１１】
放射線を発生させるための放射線源と、請求項１乃至１０のいずれか一項に記載の放射線検出装置を備えることを特徴とする放射線検出システム。
【請求項１２】
前記放射線検出装置からの信号を処理する信号処理手段と、
前記信号処理手段からの信号を記録するための記録手段と、
前記信号処理手段からの信号を表示するための表示手段と、
前記信号処理手段からの信号を伝送するための伝送処理手段と、
を具備することを特徴とする請求項１１に記載の放射線検出システム。
【請求項１３】
放射線を光に変換するシンチレーターと、該シンチレーターからの光を電気信号に変換する光電変換部を有する光電変換パネルとを備えた放射線検出装置の製造方法であって、
前記光電変換パネルの前記光電変換部の外側に、前記光電変換パネルの少なくとも一辺の少なくとも一部に沿って、前記光電変換部側へ向かって下降する傾斜面を有する枠部材を形成する第１の工程と、
非柱状結晶構造を有する第１のシンチレーターを前記枠部材の前記傾斜面の表面と前記光電変換部の表面とに連続して蒸着法により形成する第２の工程と、
柱状結晶構造を有する第２のシンチレーターを前記第１のシンチレーターの上に蒸着法により連続して形成する第３の工程と、
を含むことを特徴とする放射線検出装置の製造方法。
【請求項１４】
前記第１のシンチレーターと前記第２のシンチレーターを、同一材料で形成することを特徴とする請求項１３に記載の放射線検出装置の製造方法。
【請求項１５】
前記第１のシンチレーターと前記第２のシンチレーターを、ヨウ化セシウムを主剤とし、ヨウ化タリウムを賦活剤とした蒸着法により形成することを特徴とする請求項１３又は１４に記載の放射線検出装置の製造方法。
【請求項１６】
前記第２の工程は、前記枠部材の少なくとも前記傾斜面の表面に防湿保護膜を形成し、非柱状結晶構造を有する第１のシンチレーターを前記防湿保護膜の表面と前記光電変換部の表面とに連続して蒸着法により形成する工程であることを特徴とする請求項１３乃至１５のいずれか一項に記載の放射線検出装置の製造方法。
【請求項１７】
前記第２のシンチレーターの表面に、前記枠部材の上で前記防湿保護膜と接触するように、前記防湿保護膜と同一材料でシンチレーター保護層を形成する第４の工程を更に含むことを特徴とする請求項１６に記載の放射線検出装置の製造方法。
【請求項１８】
前記枠部材を、前記光電変換パネルの引き出し配線が無い部分に形成することを特徴とする請求項１３乃至１７のいずれか一項に記載の放射線検出装置の製造方法。
【請求項１９】
前記枠部材の長手方向に直交する面での断面形状が半円または半楕円となるように前記枠部材を形成することを特徴とする請求項１３乃至１８のいずれか一項に記載の放射線検出装置の製造方法。
【請求項２０】
前記枠部材を、粘度３０Ｐａ・ｓ以上かつチクソ比２以上の樹脂材料を用いて形成することを特徴とする請求項１３乃至１９のいずれか一項に記載の放射線検出装置の製造方法。
【手続補正２】
【補正対象書類名】明細書
【補正対象項目名】発明の名称
【補正方法】変更
【補正の内容】
【発明の名称】放射線検出装置、放射線検出システム及び放射線検出装置の製造方法
【手続補正３】
【補正対象書類名】明細書
【補正対象項目名】０００９
【補正方法】変更
【補正の内容】
【０００９】
本発明の放射線検出装置は、放射線を光に変換するシンチレーターと、該シンチレーターからの光を電気信号に変換する光電変換部を有する光電変換パネルとを備えた放射線検出装置において、
前記光電変換パネルは、前記光電変換部の外側に、前記光電変換パネルの少なくとも一辺の少なくとも一部に沿った枠部材を備え、該枠部材は光電変換部側へ向かって下降する傾斜面を有し、
前記シンチレーターは、前記枠部材の前記傾斜面の表面と前記光電変換部の表面とに連続して蒸着法により形成された非柱状結晶構造を有する第１のシンチレーターと、該第１のシンチレーターの上に蒸着法により連続して形成された柱状結晶構造を有する第２のシンチレーターとを備えることを特徴とする。
【手続補正４】
【補正対象書類名】明細書
【補正対象項目名】００１０
【補正方法】変更
【補正の内容】
【００１０】
また、本発明の放射線検出システムは、放射線を発生させるための放射線源と、上記放射線検出装置を備えることを特徴とする。
また、本発明の放射線検出装置の製造方法は、放射線を光に変換するシンチレーターと、該シンチレーターからの光を電気信号に変換する光電変換部を有する光電変換パネルとを備えた放射線検出装置の製造方法であって、
前記光電変換パネルの前記光電変換部の外側に、前記光電変換パネルの少なくとも一辺の少なくとも一部に沿って、前記光電変換部側へ向かって下降する傾斜面を有する枠部材を形成する第１の工程と、
非柱状結晶構造を有する第１のシンチレーターを前記枠部材の前記傾斜面の表面と前記光電変換部の表面とに連続して蒸着法により形成する第２の工程と、
柱状結晶構造を有する第２のシンチレーターを前記第１のシンチレーターの上に蒸着法により連続して形成する第３の工程と、
を含むことを特徴とする。